(57)【要約】【課題】重送の確実な検知が可能な画像読取装置、画像読取方法、及び画像読取プログラムを提供する。【解決手段】シート長が決定される（Ｓ２）。シート長が決定されると、画像の幅が決定される（Ｓ８）。決定された画像の幅が、シート幅以上か否かが判定される（Ｓ９）画像の幅がシート幅以上でないと判定されると（Ｓ９：Ｎｏ）、座標位置Ｘの画像データが消去される（Ｓ１１）。このように画像データが消去されることで飛出部分が削除された生成画像が生成される。生成画像の長さがシート長より大きいか否かが判定される（Ｓ１４）。生成画像の長さがシート長より大きいと判定されると（Ｓ１４：Ｙｅｓ）、「重送発生」と表示される（Ｓ１５）。【選択図】        図９
2011211477.tif 000002
【特許請求の範囲】
【請求項１】
シートと前記シートに付された付属紙とを含む被搬送紙の画像を読み取る画像読取装置であって、
前記シートの搬送方向の長さであるシート長を取得する第１取得部と、
前記被搬送紙の画像である搬送画像を読み取る画像読取部と、
前記画像読取部により読み取られた前記搬送画像のうち、前記シートの画像であるシート画像から前記搬送方向に飛び出す前記付属紙の一部の画像である飛出画像を認識する認識部と、
前記画像読取部により読み取られた前記搬送画像のうち、前記認識部により認識された前記飛出画像を削除することで、生成画像を生成する画像処理部と、
前記生成画像の前記搬送方向の長さである画像長を決定する第１決定部と、
前記第１決定部により決定された前記画像長が、前記第１取得部により取得された前記シート長より大きいか否かを判定する第１判定部と、を備え、
前記第１判定部により、前記画像長が前記シート長より大きいと判定された場合に、前記シートが重なって搬送される状態である重送が発生したと判定することを特徴とする画像読取装置。
【請求項２】
前記搬送方向における前記被搬送紙の各位置における前記被搬送紙の前記搬送方向に交差する方向の長さである搬送幅を取得する第２取得部と、
前記シートの前記搬送方向に交差する方向の長さであるシート幅を取得する第３取得部と、
前記被搬送紙の各位置における前記搬送幅が前記シート幅未満であるか否かを判定する第２判定部と、を備え、
前記認識部は、前記被搬送紙の各位置において、前記第２判定部により、前記搬送幅が前記シート幅未満であると判定された前記被搬送紙の前記搬送画像の一部を前記シートから前記搬送方向に飛び出す前記付属紙の前記飛出画像の一部と認識し、
前記画像処理部は、前記画像読取部により読み取られた前記搬送画像のうち、前記認識部により、前記被搬送紙の各位置において認識された前記飛出画像を削除することを特徴とする請求項１に記載の画像読取装置。
【請求項３】
前記第２取得部は、前記画像読取部により読み取られた前記搬送画像から前記搬送幅を決定することで、前記搬送幅を取得することを特徴とする請求項２記載の画像読取装置。
【請求項４】
前記被搬送紙の各位置における前記被搬送紙の枚数を検出する検出部を備え、
前記検出部により検出された前記被搬送紙の各位置における前記枚数のうち、前記画像処理部により生成された前記生成画像に対応する前記被搬送紙の部分の前記搬送方向の各位置における前記枚数が、２枚以上か否かを判定する第３判定部と、を備え、
前記第１判定部により、前記画像長が前記シート長以下であると判定され、且つ前記第３判定部により、前記生成画像の前記搬送方向の各位置における枚数が２枚以上であると判定された場合に、前記重送が発生したと判定することを特徴とする請求項１〜３のいずれかに記載の画像読取装置。
【請求項５】
シートと前記シートに付された付属紙とを含む被搬送紙の画像である搬送画像を読み取る画像読取部を備えた画像読取装置に用いられる画像読取方法であって、
前記シートの前記搬送方向の長さであるシート長を取得する第１取得ステップと、
前記画像読取部により読み取られた前記被搬送紙の前記搬送画像のうち、前記シートの画像であるシート画像から前記搬送方向に飛び出す前記付属紙の一部の画像である飛出画像を認識する認識ステップと、
前記画像読取部により読み取られた前記搬送画像のうち、前記認識ステップにより認識された前記飛出画像を削除することで、生成画像を生成する画像処理ステップと、
前記生成画像の前記搬送方向の長さである画像長を決定する第１決定ステップと、
前記第１決定ステップにより決定された前記画像長が、前記第１取得ステップにより取得された前記シートの前記搬送方向の長さであるシート長より大きいか否かを判定する第１判定ステップと、を備え、
前記第１判定ステップにより、前記画像長が前記シート長より大きいと判定された場合に、前記シートが重なって搬送される状態である重送が発生したと判定することを特徴とする画像読取方法。
【請求項６】
シートと前記シートに付された付属紙とを含む被搬送紙の画像である搬送画像を読み取る画像読取部を備えた画像読取装置に用いられる画像読取プログラムであって、
前記シートの前記搬送方向の長さであるシート長を取得する第１取得ステップと、
前記画像読取部により読み取られた前記被搬送紙の前記搬送画像のうち、前記シートの画像であるシート画像から前記搬送方向に飛び出す前記付属紙の画像である飛出画像を認識する認識ステップと、
前記画像読取部により読み取られた前記搬送画像のうち、前記認識ステップにより認識された前記飛出画像を削除することで、生成画像を生成する画像処理ステップと、
前記生成画像の前記搬送方向の長さである画像長を決定する第１決定ステップと、
前記第１決定ステップにより決定された前記画像長が、前記第１取得ステップにより取得された前記シートの前記搬送方向の長さであるシート長より大きいか否かを判定する第１判定ステップと、を備え
前記第１判定ステップにより、前記画像長が前記シート長より大きいと判定された場合に、前記シートが重なって搬送される状態である重送が発生したと判定し、
これらのステップがコンピューターにより実現されることを特徴とする画像読取プログラム。
【発明の詳細な説明】
【技術分野】
【０００１】
本発明は、搬送されるシートの画像を読み取る画像読取装置、画像読取方法、及び画像読取プログラムに関する。
【背景技術】
【０００２】
従来より、読取対象のシートが重なって搬送される状態である重送を検知する手段を備えた読取装置が種々提案されている。その一例として、特許文献１に開示された読取装置が知られている。
【０００３】
特許文献１に開示されている読取装置は、シート長検知部と、搬送長検知部と、重送検知部と、制御部と、を備える。シート長検知部は、読取対象であるシートの長さを検知する。搬送長検知部は、シートに貼り付けられた付箋紙や紙片などの付属紙を含めたシートの搬送方向の長さである搬送長を検知する。重送検知部は、シートが重なって搬送された際にシートの重送を検知する。
【０００４】
制御部は、搬送長検知部により検知されたシートの搬送長が、シート長検知部により検知されたシート長よりも長く、且つシートの搬送長とシート長との差をシート長から差し引いた長さが、重送検知部によって検知された重送長と略等しいときにシートに重送が生じたと判断する。従って、図１０に示すようにシートが重なって搬送されている場合、シートの搬送長Ｌａが、シート長Ｌｂよりも長く、かつシートの搬送長Ｌａとシート長Ｌｂとの差をシート長Ｌｂから差し引いた長さＬｃ＝Ｌｂ−（Ｌａ−Ｌｂ）＝２Ｌｂ−Ｌａが、重送検知部によって検知された重送長Ｌｃ１と略等しいと判断される。よって、シートに重送が生じたと判断される。
【先行技術文献】
【特許文献】
【０００５】
【特許文献１】特開２００８−１３３４５号公報
【発明の概要】
【発明が解決しようとする課題】
【０００６】
しかしながら、特許文献１に開示されている読取装置は、例えば、シートが２枚重なっている部分とシートが１枚のみの部分とにまたがる付箋などの付属紙がある場合、重送を確実に検知できない。この点について、図１１を用いて詳細に説明する。
【０００７】
今、図１１に示すようにシートが２枚重なっている部分ＤＲとシートが１枚のみの部分ＳＲとにまたがる付属紙ＡＳがある場合を考える。この場合、重送検知部は、シートＳＨの一端ＳＥと付属紙ＡＳの一端ＡＥとの間の長さを重送長さＬｃ２として検知する。よって、真の重送長さＬｃ＝２Ｌｂ−Ｌａが、重送検知部によって検知された重送長Ｌｃ２と略等しいと判断されない。従って、シートに重送が生じたと判断されず、重送の確実な検知ができないという問題があった。
【０００８】
また、特許文献１に開示されている読取装置は、例えば、図１２に示すようにシートＳＨが２枚重なっていて、付属紙ＡＳがシートＳＨから飛び出していた場合、重送を確実に検知できない。即ち、搬送長は長さＬａではなく、図１２に示す長さＬｅとなるので、関係式Ｌｃ＝２Ｌｂ−Ｌａにより決定される長さＬｃは、重送検知部により検知された重送長と略等しいと判断されない。従って、重送の確実な検知ができないという問題があった。
【０００９】
本発明は、上述した問題点を解決するためになされたものであり、重送の確実な検知が可能な画像読取装置、画像読取方法、及び画像読取プログラムを提供することを目的とするものである。
【課題を解決するための手段】
【００１０】
上記目的を達成するために、請求項１記載の本発明は、シートと前記シートに付された付属紙とを含む被搬送紙の画像を読み取る画像読取装置であって、前記シートの搬送方向の長さであるシート長を取得する第１取得部と、前記被搬送紙の画像である搬送画像を読み取る画像読取部と、前記画像読取部により読み取られた前記搬送画像のうち、前記シートの画像であるシート画像から前記搬送方向に飛び出す前記付属紙の一部の画像である飛出画像を認識する認識部と、前記画像読取部により読み取られた前記搬送画像のうち、前記認識部により認識された前記飛出画像を削除することで、生成画像を生成する画像処理部と、前記生成画像の前記搬送方向の長さである画像長を決定する第１決定部と、前記第１決定部により決定された前記画像長が、前記第１取得部により取得された前記シート長より大きいか否かを判定する第１判定部と、を備え、前記第１判定部により、前記画像長が前記シート長より大きいと判定された場合に、前記シートが重なって搬送される状態である重送が発生したと判定することを特徴とするものである。
【００１１】
請求項２記載の本発明は、請求項１に記載の発明において、前記搬送方向における前記被搬送紙の各位置における前記被搬送紙の前記搬送方向に交差する方向の長さである搬送幅を取得する第２取得部と、前記シートの前記搬送方向に交差する方向の長さであるシート幅を取得する第３取得部と、前記被搬送紙の各位置における前記搬送幅が前記シート幅未満であるか否かを判定する第２判定部と、を備え、前記認識部は、前記被搬送紙の各位置において、前記第２判定部により、前記搬送幅が前記シート幅未満であると判定された前記被搬送紙の前記搬送画像の一部を前記シートから前記搬送方向に飛び出す前記付属紙の前記飛出画像の一部と認識し、前記画像処理部は、前記画像読取部により読み取られた前記搬送画像のうち、前記認識部により、前記被搬送紙の各位置において認識された前記飛出画像を削除することを特徴とするものである。
【００１２】
請求項３記載の本発明は、請求項２に記載の発明において、前記第２取得部は、前記画像読取部により読み取られた前記搬送画像から前記搬送幅を決定することで、前記搬送幅を取得することを特徴とするものである。
【００１３】
請求項４記載の本発明は、請求項１〜３のいずれかに記載の発明において、前記被搬送紙の各位置における前記被搬送紙の枚数を検出する検出部を備え、前記検出部により検出された前記被搬送紙の各位置における前記枚数のうち、前記画像処理部により生成された前記生成画像に対応する前記被搬送紙の部分の前記搬送方向の各位置における前記枚数が、２枚以上か否かを判定する第３判定部と、を備え、前記第１判定部により、前記画像長が前記シート長以下であると判定され、且つ前記第３判定部により、前記生成画像の前記搬送方向の各位置における枚数が２枚以上であると判定された場合に、前記重送が発生したと判定することを特徴とするものである。
【００１４】
上記目的を達成するために、請求項５記載の本発明は、シートと前記シートに付された付属紙とを含む被搬送紙の画像である搬送画像を読み取る画像読取部を備えた画像読取装置に用いられる画像読取方法であって、前記シートの前記搬送方向の長さであるシート長を取得する第１取得ステップと、前記画像読取部により読み取られた前記被搬送紙の前記搬送画像のうち、前記シートの画像であるシート画像から前記搬送方向に飛び出す前記付属紙の一部の画像である飛出画像を認識する認識ステップと、前記画像読取部により読み取られた前記搬送画像のうち、前記認識ステップにより認識された前記飛出画像を削除することで、生成画像を生成する画像処理ステップと、前記生成画像の前記搬送方向の長さである画像長を決定する第１決定ステップと、前記第１決定ステップにより決定された前記画像長が、前記第１取得ステップにより取得された前記シートの前記搬送方向の長さであるシート長より大きいか否かを判定する第１判定ステップと、を備え、前記第１判定ステップにより、前記画像長が前記シート長より大きいと判定された場合に、前記シートが重なって搬送される状態である重送が発生したと判定することを特徴とするものである。
【００１５】
上記目的を達成するために、請求項６記載の本発明は、シートと前記シートに付された付属紙とを含む被搬送紙の画像である搬送画像を読み取る画像読取部を備えた画像読取装置に用いられる画像読取プログラムであって、前記シートの前記搬送方向の長さであるシート長を取得する第１取得ステップと、前記画像読取部により読み取られた前記被搬送紙の前記搬送画像のうち、前記シートの画像であるシート画像から前記搬送方向に飛び出す前記付属紙の画像である飛出画像を認識する認識ステップと、前記画像読取部により読み取られた前記搬送画像のうち、前記認識ステップにより認識された前記飛出画像を削除することで、生成画像を生成する画像処理ステップと、前記生成画像の前記搬送方向の長さである画像長を決定する第１決定ステップと、前記第１決定ステップにより決定された前記画像長が、前記第１取得ステップにより取得された前記シートの前記搬送方向の長さであるシート長より大きいか否かを判定する第１判定ステップと、を備え前記第１判定ステップにより、前記画像長が前記シート長より大きいと判定された場合に、前記シートが重なって搬送される状態である重送が発生したと判定し、これらのステップがコンピューターにより実現されることを特徴とするものである。
【発明の効果】
【００１６】
請求項１記載の画像読取装置によれば、搬送画像のうち、認識部により認識された付属紙の飛出画像が削除されることで、生成画像が生成される。搬送画像は、シートとシートに付された付属紙とを含む被搬送紙の画像である。飛出画像は、被搬送紙の搬送画像のうち、シートの画像であるシート画像から搬送方向に飛び出す付属紙の画像として認識部により認識された画像である。請求項１記載の画像読取装置によれば、生成画像の搬送方向の長さである画像長が、シートの搬送方向の長さであるシート長より大きいと判定された場合に、重送が発生したと判定される。従って、重送の確実な検知が可能となる。
【００１７】
本願請求項１記載の画像読取装置が奏する効果について、図１２を用いて詳細に説明する。図１２は、付属紙が付されたシートが２枚重なって搬送されている状態を示す図である。図１２において、搬送方向をＸ軸方向、搬送方向に交差する方向をＹ軸方向、被搬送紙ＦＳの表面（ひょうめん）ＳＦに交差する方向をＺ軸方向として定義する。Ｘ軸方向の紙の長さを、「長さ」又は「長」、Ｙ軸方向の紙の長さを、「幅」と表記する。Ｚ軸の正方向側を「上」と表記する。Ｚ軸負方向側を「下」と表記する。これらの定義は、以後、他の図面においても共通のものとする。
【００１８】
搬送長は、図１２において、シートＳＨと付属紙ＡＳとを含む被搬送紙ＦＳの搬送方向、即ちＸ軸方向の長さＬｅである。長さＬｅは、図１２に示す場合、シートＳＨが２枚重なっている部分ＤＲの長さとシートＳＨが１枚のみの部分ＳＲの長さと付属紙ＡＳのうちシートＳＨの端縁からＸ軸方向に飛び出す部分ＰＪの長さとの総和である。シート長は、図１２において、シートＳＨのＸ軸方向の長さＬｂである。飛出画像は、図１２において、Ｘ軸方向の長さＬｄにより示される付属紙ＡＳの一部の画像である。画像長は、図１２において、搬送長Ｌｅから飛出画像の長さＬｄを減じた長さＬａである。
【００１９】
第２判定部により、画像長Ｌａがシート長Ｌｂより大きいと判定された場合に、シートＳＨが重なって搬送される状態である重送が発生したと判定される。従って、付属紙ＡＳのうちシートＳＨから飛び出した部分は、重送の判定基準となる各長さに含まれない。また、図１２に示すように、シートが２枚重なっている部分ＤＲとシートが１枚のみの部分ＳＲとにまたがる付属紙ＡＳが存在したとしても、重送の判定は、画像長Ｌａがシート長Ｌｂより大きいか否かにより判定される。従って、図１２に示すように、部分ＤＲと部分ＳＲとにまたがる付属紙ＡＳが存在したとしても、存在しなかったとしても、シートＳＨが重なっている場合のみ重送と判定される。以上示したように、請求項１記載の画像読取装置によれば、重送の確実な検知が可能となる。また、請求項１記載の画像読取装置によれば、画像読取部により読み取られた被搬送紙の搬送画像のうち、認識部により認識された付属紙の飛出画像を削除することで、生成画像を生成する画像処理部を備える。即ち、画像処理部により、被搬送紙の画像のうちシートから飛び出す付属紙の部分の画像が削除される。よって、画像処理部により重送の判定に支障を来たす部分の画像が削除された後、重送の判定が行われる。従って、重送の確実な検知が可能となる。
【００２０】
請求項２記載の画像読取装置によれば、搬送幅がシート幅未満であると判定された被搬送紙がシートの搬送方向両端から飛び出す付属紙の一部と認識される。従って、重送の確実な検知が可能となる。
【００２１】
本願請求項２記載の画像読取装置が奏する効果について、図１２を用いて詳細に説明する。搬送幅は、図１２において、被搬送紙ＦＳの搬送方向の各位置、即ちＸ座標位置における幅である。従って、図１２に示すＸ座標位置がＸ１である部分の搬送幅は、付属紙ＡＳの幅Ｌｆである。図１２に示すＸ座標位置がＸ２である部分の搬送幅は、シートＳＨの幅Ｌｇである。シート幅は、図１２において、シートＳＨの幅Ｌｇである。
【００２２】
搬送幅がシート幅未満であると判定された被搬送紙ＦＳの各部分の画像がシートＳＨの搬送方向両端ＥＧから飛び出す付属紙ＡＳの画像と認識される。従って、図１２において、長さＬｄで示される部分の付属紙ＡＳの画像が、両端ＥＧから飛び出す付属紙ＡＳの画像として認識される。被搬送紙ＦＳの搬送画像のうち、Ｘ軸方向の各位置において認識された付属紙ＡＳの飛出画像が削除される。従って、図１２において、長さＬｄで示される部分の付属紙ＡＳの画像が、被搬送紙ＦＳの搬送画像から削除される。よって、画像処理部により重送の判定に支障を来たす部分の画像が確実に削除された後、重送の判定が行われる。従って、重送の確実な検知が可能となる。
【００２３】
請求項３記載の画像読取装置によれば、第２取得部により搬送画像から搬送幅が決定される。決定された搬送幅がシート幅未満であると判定された被搬送紙がシートの搬送方向両端から飛び出す付属紙の一部と認識される。従って、重送の確実な検知が可能となる。
【００２４】
請求項４記載の画像読取装置によれば、画像長がシート長以下であると判定され、且つ被搬送紙の搬送方向の各位置における被搬送紙の枚数が２枚以上であると判定された場合に、重送が発生したと判定される。従って、２枚以上のシートが完全に重なった状態で搬送された場合においても、重送の検知が可能となる。よって、重送の確実な検知が可能となる。
【００２５】
本願請求項４記載の画像読取装置が奏する効果について、図１３、及び図１４を用いて詳細に説明する。図１３は、２枚のシートＳＨが完全に重なって搬送されている状態を示す図である。図１４は、図１３に示すシートＳＨをＹ軸方向から見た場合の側面図である。画像長は、図１３において、搬送長Ｌｅから長さＬｄを減じた長さＬａである。シート長は、図１３において、シートＳＨの搬送方向の長さＬｂである。図１３に示すように、２枚のシートＳＨが完全に重なって搬送される場合、長さＬａ＝長さＬｂ、即ち画像長はシート長と等しい。従って、画像長がシート長以下であると判定される。被搬送紙ＦＳの枚数は、図１４に示すように、被搬送紙ＦＳの搬送方向の各位置において検出される。従って、図１４に示すＸ座標位置がＸ１である部分の被搬送紙ＦＳの枚数は、約１枚と検出される。図１４に示すＸ座標がＸ２である部分の枚数は、２枚と検出される。
【００２６】
画像処理部により生成された生成画像の搬送方向、即ちＸ軸方向の全ての位置における被搬送紙ＦＳの枚数が、２枚以上か否かが判定される。生成画像は、画像読取部により読み取られた被搬送紙ＦＳの搬送画像のうち、認識部により認識された付属紙ＡＳの飛出画像を削除することで生成される画像である。よって、生成画像のＸ軸方向の全ての位置とは、図１４において、長さＬａにより示される範囲内におけるＸ軸方向の全ての位置である。従って、図１４に示すように、２枚のシートＳＨが完全に重なって搬送される場合、枚数は、Ｘ軸方向の全ての位置において、２枚に略等しい。よって、Ｘ軸方向の全ての位置における枚数は、２枚以上と判定される。以上から、図１４に示すように、２枚のシートが完全に重なって搬送される場合、画像長がシート長以下であると判定され、且つ全ての位置における枚数が２枚以上であると判定される。よって、重送が発生したと判定される。従って、２枚のシートが完全に重なって搬送される場合においても、重送の確実な検知が可能となる。
【００２７】
請求項５記載の画像読取方法、及び請求項６記載の画像読取プログラムによれば、搬送画像のうち、認識ステップにより認識された付属紙の飛出画像が削除されることで、生成画像が生成される。そして、生成画像の搬送方向の長さである画像長が、シートの搬送方向の長さであるシート長より大きいと判定された場合に、重送が発生したと判定される。従って、重送の確実な検知が可能となる。
【図面の簡単な説明】
【００２８】
【図１】本発明の一実施形態に係る画像読取装置１の斜視図である。
【図２】上記画像読取装置１の内部を説明するための説明図である。
【図３】被搬送紙ＦＳの枚数と検出部３４により検出される信号ｓｇとの関係を説明するための説明図である。
【図４】被搬送紙ＦＳの枚数と検出部３４により検出される信号ｓｇとの関係を説明するための説明図である。
【図５】上記画像読取装置１の電気的構成を示す機能ブロック図である。
【図６】上記画像読取装置１のシートデータ記憶部７２により記憶されている各種シートＳＨのシート幅とシート長とのデータの一例を示す図である。
【図７】上記画像読取装置１の幅決定部７５による被搬送紙ＦＳの幅ｗｆ決定処理を説明するための説明図である。
【図８】上記画像読取装置１の画像処理部７８による生成画像ＧＩの生成処理を説明するための説明図である。
【図９】上記画像読取装置１の動作制御を示すフローチャートである。
【図１０】シートＳＨが重なって搬送されている場合を説明するための説明図である。
【図１１】シートＳＨが２枚重なっている部分ＤＲとシートＳＨが１枚のみの部分ＳＲとにまたがる付属紙ＡＳがある場合を説明するための説明図である。
【図１２】シートＳＨが２枚重なっている部分ＤＲとシートＳＨが１枚のみの部分ＳＲとにまたがる付属紙ＡＳがある場合、及びシートＳＨから飛び出す付属紙ＡＳがある場合を説明するための説明図である。
【図１３】２枚のシートＳＨが完全に重なって搬送されている状態を示す図である。
【図１４】図１３に示すシートＳＨをＹ軸方向から見た場合の側面図である。
【発明を実施するための形態】
【００２９】
以下、本発明の一実施形態について、図面を用いて詳細に説明する。
【００３０】
［画像読取装置の外観］
図１は、本実施形態の画像読取装置１の外観を示す斜視図である。画像読取装置１は、図１に示すように、給紙トレイ２と、読取部３と、排紙トレイ４と、設定部５と、表示部６と、を備える。本実施形態に係る画像読取装置１は、ユーザにより給紙トレイ２に載置された複数のシートを読取部３内において搬送しながら読み取るシートフィードスキャナである。
【００３１】
給紙トレイ２は、図１に示すようにガイド２Ａ、２Ｂを有する。ガイド２Ａ、２Ｂは、図１に示すガイド幅ＷＧの方向に移動可能である。ユーザによりガイド２Ａ、２Ｂが押し広げられ、又は押し狭められ、ユーザにより給紙トレイ２のガイド２Ａとガイド２Ｂとの間にシートが載置される。ガイド２Ａ、及びガイド２Ｂは、各々、送信側の幅センサ２１Ａ、及び受信側の幅センサ２１Ｂを有する。送信側の幅センサ２１Ａは、広がりを持って放射を行う赤外ＬＥＤにより構成される。受信側の幅センサ２１Ｂは、フォトダイオードにより構成される。ユーザにより、ガイド２Ａとガイド２Ｂとの間のガイド幅ＷＧがシートＰＰの幅と等しく設定されることで、ガイド幅ＷＧがシートＰＰの幅と等しくなる。送信側の幅センサ２１Ａから受信側の幅センサ２１Ｂに赤外光が供給される。ガイド２Ａとガイド２Ｂとの間のガイド幅ＷＧ、即ちシートＰＰの幅に反比例した大きさの電圧が受信側の幅センサ２１Ｂに発生する。
【００３２】
読取部３は、内部に搬送機構、及び読取機構を有する。読取部３は、給紙トレイ２に載置されたシートを内部に引き込む。読取部３は、引き込まれたシートを給紙トレイ２から排紙トレイ４に向けて搬送する。読取部３は、搬送されるシートの画像を読み取る。
【００３３】
排紙トレイ４は、読取部３により搬送されたシートを受け取る。設定部５は、電源スイッチ、及び各種設定ボタンを有する。表示部６は、液晶ディスプレイにより構成される。表示部６は、読取部３により読み取られた画像などを表示可能である。
【００３４】
［画像読取装置の内部構造］
図２は、画像読取装置１の内部構造を説明するための説明図である。画像読取装置１は、図２に示すように、ピックアップローラ３２と、分離パッド３３と、検出部３４と、フィードローラ３５と、画像読取部３６と、搬送路３７と、排出ローラ３８と、制御部７と、を備える。
【００３５】
ピックアップローラ３２は、摩擦力により、給紙トレイ２に載置された複数枚のシートＰＰを画像読取装置１の内部に引き込む。分離パッド３３は、摩擦力により、複数枚のシートＰＰを数枚のシートに分離する。分離パッド３３のような分離機構により複数枚のシートＰＰが１枚のシートＰＰに分離されることが望ましい。しかし、分離パッド３３のような分離機構の存在下においても、数枚のシートＰＰが重なった状態で搬送される重送が発生することがある。以後、分離パッド３３により分離された数枚のシートＰＰを、被搬送紙と表記する。被搬送紙は、シートとシートに付された付属紙とを含む。即ち、読取部３内において搬送される被搬送紙は、１枚のシートのみの場合、複数枚のシートが重なっているシートの場合、及びシートとシートに付された付属紙とにより構成されたシートの場合などがある。
【００３６】
検出部３４は、被搬送紙の枚数を検出する。検出部３４は、超音波センサにより構成される。検出部３４は、送信側センサ３４Ａと受信側センサ３４Ｂとを備える。検出部３４の紙枚数検出について、図３を用いて詳細に説明する。図３は、検出部３４の紙枚数検出を説明するための説明図である。図３の（Ａ）は、被搬送紙ＦＳの上面を示す図である。図３の（Ｂ）は、被搬送紙ＦＳの側面を示す図である。図３の（Ｃ）は、受信側センサ３４Ｂにより受け取られる超音波の信号ｓｇを示す図である。超音波が、送信側センサ３４Ａにより、Ｚ軸方向から被搬送紙ＦＳに対し順次供給される。被搬送紙ＦＳはＸ軸方向に搬送されるため、超音波が、図３の（Ａ）に示す検出ラインＤＬに沿って、Ｚ軸方向から被搬送紙ＦＳに対し順次供給される。送信側センサ３４Ａにより被搬送紙ＦＳに対し供給された超音波は、図３の（Ｃ）に示すように、主に被搬送紙ＦＳの枚数に応じて減衰する。受信側センサ３４Ｂは、減衰した超音波の強さに比例した信号ｓｇを受け取る。図３の（Ａ）に示すように、２枚のシートＳＨが重なって搬送される場合、その重なり部分ＤＲにおける被搬送紙ＦＳの枚数は、図３の（Ｂ）に示すように、シートＳＨの２枚分に相当する。従って、図３の（Ａ）、及び（Ｂ）に示すように重送が発生した場合、送信側センサ３４Ａにより被搬送紙ＦＳに対し供給された超音波は、１枚のシートＳＨが搬送される場合と比較して、図３の（Ｃ）に示すように大きく減衰する。本実施形態における検出部３４が、本発明の検出部の一例である。
【００３７】
図３の（Ａ）に示すように、シートＳＨに付属紙ＡＳが付されている場合、図３の（Ｂ）に示すように、超音波は、付属紙ＡＳが付されている領域において、図３の（Ｃ）に示すように減衰する。従って、図４の（Ａ）、及び（Ｂ）に示すように、被搬送紙ＦＳが１枚のシートＳＨ、及び付属紙ＡＳである場合、図４の（Ｃ）に示すように、減衰した超音波が検出される。従って、図４に示すように、重送が発生していない場合においても、減衰した超音波が検出される。よって、単に減衰した超音波を検出して重送を判定するだけでは、シートＳＨに付属紙ＡＳが付されている場合、誤って重送と判定してしまう可能性が発生する。
【００３８】
フィードローラ３５は、図示しないモータにより駆動されて被搬送紙ＦＳを搬送する。被搬送紙ＦＳは、搬送路３７内で搬送される。
【００３９】
画像読取部３６は、搬送路３７を挟んで対向する一対の密着イメージセンサ（Ｃｏｎｔａｃｔ  Ｉｍａｇｅ  Ｓｅｎｓｏｒ、以後、「ＣＩＳ」と記す）３６Ａ、３６Ｂにより構成される。画像読取部３６は、被搬送紙ＦＳの表面、及び裏面の画像を読み取る。本実施形態において、被搬送紙ＦＳの表面、及び裏面の画像のうち、被搬送紙ＦＳの表面の画像が、以後記す画像処理等に用いられる。本実施形態におけるＣＩＳ３６Ａが、本発明の画像読取部の一例である。
【００４０】
排出ローラ３８は、搬送路３７内で搬送されたシートＰＰを排紙トレイ４に供給する。排出ローラ３８により排紙トレイ４に供給されたシートＰＰは、排紙トレイ４に積層される。
【００４１】
制御部７は、ＣＰＵ、ＲＯＭ、フラッシュＲＯＭ、ＲＡＭ等を有するコンピューターより構成される。
【００４２】
［画像読取装置電気的構成］
図５を用いて、画像読取装置１の電気的構成について説明する。図５は、画像読取装置１の電気的構成を示す図である。図５において、制御部７は、説明の便宜上、複数の機能ブロックに分けて図示されている。しかし、実際には、ＣＰＵ、ＲＯＭ、フラッシュＲＯＭ、ＲＡＭ等を有するコンピューターにより構成される。
【００４３】
制御部７は、図５に示すように、シート幅決定部７１と、シートデータ記憶部７２と、シート長決定部７３と、データ記憶部７４と、幅決定部７５と、幅判定部７６と、認識部７７と、画像処理部７８と、長さ決定部７９と、長さ判定部８０と、枚数判定部８１と、を備える。
【００４４】
シート幅決定部７１は、シートＳＨのシート幅を決定する。具体的には、幅センサ２１Ｂからガイド２Ａとガイド２Ｂとの間の距離に反比例した電圧値を受け取る。ガイド２Ａとガイド２Ｂとの間の距離はシートＰＰの幅と略等しい。また、シートＰＰは、給紙トレイ２に載置された少なくとも１枚のシートＳＨであることから、シートＰＰの幅は、シートＳＨのシート幅に略等しい。従って、幅センサ２１Ｂから受け取る電圧値は、シートＳＨのシート幅に反比例している。シート幅決定部７１は、この電圧値を受け取ることで、シートＳＨのシート幅を決定する。なお、本実施形態において、「決定」とは、得られたデータをもとに特定の数値を求めること、及び得られたデータをもとにテーブルなどの判断基準から特定の数値を決定することの両方を含む。
【００４５】
シートデータ記憶部７２は、各種シートＳＨのシート長、及び幅に関するデータを記憶している。図６は、シートデータ記憶部７２により記憶されている各種シートＳＨのシート幅とシート長のデータを説明するための説明図である。各種シートＳＨのシート幅とシート長とが、図６に示すように、シートデータ記憶部７２により対応付けられて記憶されている。図６に示す各種シートＳＨのシート幅とシート長とのデータを以後、「テーブル」と表記する。
【００４６】
シート長決定部７３は、シートＳＨのシート長を決定する。具体的には、シート幅決定部７１により決定されたシートＳＨのシート幅とシートデータ記憶部７２に記憶されている各種シートＳＨのシート幅、及びシート長のデータとに基づきシートＳＨのシート長を決定する。本実施形態における幅センサ２１Ａ、２１Ｂ、シート幅決定部７１、シートデータ記憶部７２、及びシート長決定部７３が、本発明の第１取得部の一例である。本実施形態における幅センサ２１Ａ、２１Ｂ、及びシート幅決定部７１が、本発明の第３取得部の一例である。
【００４７】
データ記憶部７４は、画像読取部３６により読み取られた被搬送紙ＦＳの画像データを記憶する。詳細に言えば、データ記憶部７４は、検出部３４により検出された各Ｘ座標位置における被搬送紙ＦＳの枚数と各Ｘ座標位置における被搬送紙ＦＳの画像データとを対応付けて記憶する。
【００４８】
幅決定部７５は、被搬送紙ＦＳの画像から被搬送紙ＦＳのＸ座標位置における被搬送紙ＦＳの幅ｗｆを決定する。具体的には、図７の（Ａ）に示すようなデータ記憶部７４により記憶された被搬送紙ＦＳの画像データから被搬送紙ＦＳの幅ｗｆを決定する。被搬送紙ＦＳの幅ｗｆは、図７の（Ｂ）に示すように、被搬送紙ＦＳの各Ｘ座標位置に対して、決定される。従って、図７の（Ｂ）に示すように、座標位置Ｘ１において、被搬送紙ＦＳの幅ｗｆは、幅Ｌｆと決定される。座標位置Ｘ２において、被搬送紙ＦＳの幅ｗｆは、幅Ｌｇと決定される。本実施形態における画像読取部３６、データ記憶部７４、及び幅決定部７５が、本発明の第２取得部の一例である。
【００４９】
幅判定部７６は、幅決定部７５により決定された被搬送紙ＦＳの各Ｘ座標位置における幅ｗｆと、シート幅決定部７１により決定された図７に示すシートＳＨのシート幅Ｌｇとを比較する。この比較により、幅判定部７６は、各Ｘ座標位置における幅ｗｆが、シートＳＨのシート幅Ｌｇ未満であるか否かを判定する。本実施形態における幅判定部７６が、本発明の第２判定部の一例である。
【００５０】
認識部７７は、画像読取部３６により読み取られた被搬送紙ＦＳの画像のうち、シートＳＨの画像から搬送方向に飛び出す付属紙ＡＳの一部の画像を認識する。本実施形態において、付属紙ＡＳの一部の画像とは、図７の（Ａ）に示す付属紙ＡＳの一部の画像である飛出部分ＰＪの画像である。飛出部分ＰＪは、付属紙ＡＳがシートＳＨの端縁から、搬送方向に飛び出す部分である。認識部７７は、各Ｘ座標位置において、幅判定部７６により、幅ｗｆがシートＳＨのシート幅Ｌｇ未満であると判定された被搬送紙ＦＳの画像の部分を飛出部分ＰＪの画像と認識する。図７の（Ｂ）に示すように、Ｘ座標位置ＸＡからＸ座標位置ＸＢまでの範囲の幅ｗｆは、幅Ｌｇに等しい。Ｘ座標位置ＸＢからＸ座標位置ＸＣまでの範囲の幅ｗｆは、幅Ｌｆに等しい。図７に示すように、幅Ｌｇ＞幅Ｌｆである。従って、この場合、認識部７７は、Ｘ座標位置ＸＢからＸ座標位置ＸＣの範囲の画像を飛出部分ＰＪの画像として認識する。本実施形態における認識部７７が、本発明の認識部の一例である。
【００５１】
画像処理部７８は、図８に示すように、画像読取部３６により読み取られた被搬送紙ＦＳの画像のうち、認識部７７により認識された飛出部分ＰＪの画像を削除することで、生成画像ＧＩを生成する。具体的には、データ記憶部７４により記憶された被搬送紙ＦＳの画像データのうち、飛出部分ＰＪの画像のデータを消去する。画像処理部７８は、被搬送紙ＦＳの画像のうち、認識部７７により、被搬送紙ＦＳの各Ｘ座標位置において認識された飛出部分ＰＪの画像を削除する。生成画像ＧＩのデータは、各Ｘ座標位置における被搬送紙ＦＳの枚数のデータと対応付けられてデータ記憶部７４に記憶される。本実施形態における画像処理部７８が、本発明の画像処理部の一例である。
【００５２】
長さ決定部７９は、生成画像ＧＩの搬送方向の長さＬａを決定する。具体的には、データ記憶部７４により記憶されている生成画像ＧＩのデータから生成画像ＧＩの搬送方向の長さＬａを決定する。本実施形態における長さ決定部７９が、本発明の第１決定部の一例である。
【００５３】
長さ判定部８０は、長さ決定部７９により決定された長さＬａと、シート長決定部７３により決定されたシート長Ｌｂと、を比較する。この比較により、長さ判定部８０は、長さＬａが、長さＬｂより大きいか否かを判定する。本実施形態における長さ判定部８０が、本発明の第１判定部の一例である。
【００５４】
枚数判定部８１は、被搬送紙ＦＳの生成画像ＧＩに相当する部分の各Ｘ座標位置における枚数が、２枚以上か否かを判定する。具体的には、データ記憶部７４により、各Ｘ座標位置における生成画像ＧＩのデータと対応付けられて記憶されている各Ｘ座標位置における生成画像ＧＩに相当する部分の枚数が読み出される。読み出された各Ｘ座標位置における生成画像ＧＩに相当する部分の枚数が、２枚以上かが判定される。この判定により、生成画像ＧＩに相当する部分の各Ｘ座標位置における枚数が、２枚以上か否かが判定される。本実施形態における枚数判定部８１が、本発明の第３判定部の一例である。
【００５５】
設定部５は、各種設定信号を制御部７に供給する。設定部５は、電源スイッチを有する。設定部５の電源スイッチから電源ＯＮの指令が制御部７に供給されると、画像読取装置１の動作制御が始まる。設定部５の電源スイッチから電源ＯＦＦの指令が制御部７に供給されると、画像読取装置１の動作制御が終了される。
【００５６】
表示部６は、制御部７から各種表示データを受け取る。各種表示データは、データ記憶部７４により記憶されている画像データ、及び制御部７による判定結果データを含む。
【００５７】
［画像読取装置動作制御］
以下、図９を用いて画像読取装置１の動作制御について説明する。図９は、画像読取装置１の動作制御を示すフローチャートである。一連の動作制御は、制御部７を構成するＣＰＵにより実行される。
【００５８】
図９に示す処理では、先ず、設定部５から制御部７に動作開始の指令が供給される。動作開始の指令が供給されると、画像読取装置１の動作が開始される。画像読取装置１の動作が開始されると、シート幅決定部７１により、ガイド幅ＷＧからシートＳＨのシート幅が決定される。（ステップＳ１、以後Ｓ１と記す）。シートＳＨのシート幅が決定されると、シートＳＨのシート幅と図６において示したテーブルとからシート長決定部７３によりシートＳＨのシート長が決定される（Ｓ２）。シートＳＨのシート長が決定されると、シートＰＰが読取部３に引き込まれ、シートＰＰの搬送が開始される（Ｓ３）。
【００５９】
シートＰＰの搬送が開始されると、検出部３４により被搬送紙ＦＳの先端が検出されたかが判定される（Ｓ４）。具体的には、検出部３４により減衰した超音波が検出されると、被搬送紙ＦＳの先端が検出されたと判定される。
【００６０】
被搬送紙ＦＳの先端が検出されたと判定されると（Ｓ４：Ｙｅｓ）、画像読取部３６による画像の読取が開始される（Ｓ５）。被搬送紙ＦＳの先端が検出されていないと判定される（Ｓ４：Ｎｏ）と、処理がＳ４に戻り、被搬送紙ＦＳの先端が検出されたかが判定される。Ｓ５以後の画像読取の間、常時並行して検出部３４による検出処理が行われる。Ｓ５以後、画像読取部３６により画像が読み取られると、読み取られた画像データは、データ記憶部７４により記憶される。検出部３４により検出された図４の（Ｃ）において示したような超音波の信号ｓｇは、画像読取部３６により読み取られた画像データと対応付けられて、データ記憶部７４により記憶される。
【００６１】
画像読取が開始されると、被搬送紙ＦＳの後端が検出されたかが判定される（Ｓ６）。具体的には、検出部３４の出力ｓｇが所定値以上である、即ち超音波の減衰なしと判定されたかが判定される。被搬送紙ＦＳの後端が検出されたと判定されると（Ｓ６：Ｙｅｓ）、画像の読取が停止される（Ｓ７）。被搬送紙ＦＳの後端が検出されていないと判定されると（Ｓ６：Ｎｏ）、処理がＳ６に戻り、被搬送紙ＦＳの後端が検出されたかが判定される。
【００６２】
画像の読取が停止されると、幅決定部７５により座標位置Ｘにおける被搬送紙ＦＳの画像の幅が決定される（Ｓ８）。最初のＳ８において、座標位置Ｘは、図７に示した被搬送紙ＦＳの場合、座標位置ＸＣである。座標位置Ｘは、以後示すように、座標位置ＸＣから始まり、座標位置ＸＡに至るまで変更される。なお、座標位置ＸＡは、Ｓ６において、検出された被搬送紙ＦＳの後端の座標位置ＸＡである。座標位置ＸＣは、Ｓ４において、検出された被搬送紙ＦＳの先端の座標位置ＸＣである。被搬送紙ＦＳの後端が検出されたと判定されたときに（Ｓ６：Ｙｅｓ）、座標位置ＸＡは、画像データと対応付けられて、データ記憶部７４に記憶される。被搬送紙ＦＳの先端が検出されたと判定されたときに（Ｓ４：Ｙｅｓ）、座標位置ＸＣは、画像データと対応付けられて、データ記憶部７４に記憶される。
【００６３】
画像の幅が決定されると、幅判定部７６により、決定された画像の幅が、シート幅以上か否かが判定される（Ｓ９）。即ち、図７に示すように、決定された幅ｗｆがシート幅Ｌｇ以上か否かが判定される。
【００６４】
画像の幅がシート幅Ｌｇ以上であると判定されると（Ｓ９：Ｙｅｓ）、現在の座標位置Ｘが、最後の座標位置Ｘか否かが判定される（Ｓ１０）。即ち、図７に示した被搬送紙ＦＳの場合、現在の座標位置Ｘが、座標位置ＸＡか否かが判定される。座標位置ＸＡは、データ記憶部７４から取得される。画像の幅がシート幅以上でないと判定されると（Ｓ９：Ｎｏ）、画像処理部７８により座標位置Ｘの画像データがデータ記憶部７４から消去される（Ｓ１１）。座標位置Ｘの画像データが消去されると、処理がＳ１０に移る。Ｓ１０において、現在の座標位置Ｘが、最後の座標位置Ｘでないと判定されると（Ｓ１０：Ｎｏ）、座標位置Ｘが次の座標位置Ｘに変更される（Ｓ１３）。即ち、座標位置Ｘが現在の座標位置ＸからＸ軸負方向の次の座標位置Ｘに変更される。
【００６５】
座標位置Ｘが次の座標位置Ｘに変更されると、処理がＳ８に戻る。処理がＳ８に戻ると、画像の幅が決定される。現在の座標位置Ｘが、最後の座標位置Ｘであると判定されると（Ｓ１０：Ｙｅｓ）、処理がＳ１２に移る。Ｓ８、Ｓ９、Ｓ１０、Ｓ１１、及びＳ１３の処理により、各Ｘ座標位置において、被搬送紙ＦＳの画像の幅がシート幅以上か否かが判定される。Ｓ８、Ｓ９、Ｓ１０、Ｓ１１、及びＳ１３の処理により、飛出部分ＰＪの画像が削除され、生成画像ＧＩが生成される。処理がＳ１２に移るとＳ８、Ｓ９、Ｓ１０、Ｓ１１、及びＳ１３の処理により生成された生成画像ＧＩのＸ軸方向の長さ、即ち画像長が長さ決定部７９により決定される（Ｓ１２）。画像長が決定されると、処理がＳ１４に移る。
【００６６】
処理がＳ１４に移ると、長さ判定部８０により生成画像ＧＩのＸ軸方向の長さがシート長より大きいか否かが判定される（Ｓ１４）。生成画像ＧＩのＸ軸方向の長さがシート長より大きいと判定されると（Ｓ１４：Ｙｅｓ）、表示部６に「重送発生」と表示される（Ｓ１５）。生成画像ＧＩのＸ軸方向の長さがシート長以下であると判定されると（Ｓ１４：Ｎｏ）、枚数判定部８１により生成画像ＧＩの各Ｘ座標位置における枚数が、２枚以上か否かが判定される（Ｓ１６）。生成画像ＧＩの各Ｘ座標位置における枚数が、２枚以上であると判定されると（Ｓ１６：Ｙｅｓ）、表示部６に「重送発生」と表示される（Ｓ１５）。判定結果が表示部６により表示されることで、ユーザは、シートＰＰが画像読取装置１内で１枚１枚分離されて正常に搬送されたか否かを知ることができる。
【００６７】
Ｓ１５において「重送発生」と表示されると、設定部５の電源スイッチから停止の指令が制御部７に供給されたか否かが判定される（Ｓ１７）。また、Ｓ１６において、生成画像ＧＩの各Ｘ座標位置における枚数が、２枚以上でないと判定されると（Ｓ１６：Ｎｏ）、設定部５の電源スイッチから停止の指令が制御部７に供給されたか否かが判定される（Ｓ１７）。停止の指令が供給されていないと判定されると（Ｓ１７：Ｎｏ）、処理がＳ１に戻る。停止の指令が供給されたと判定されると（Ｓ１９：Ｙｅｓ）、図９に示す全ての処理が終了する。
【００６８】
（変形例）
本実施形態において、認識部７７は、各Ｘ座標位置において、幅判定部７６により、幅ｗｆがシートＳＨのシート幅Ｌｇ未満であると判定された被搬送紙ＦＳの画像の部分を飛出部分ＰＪの画像と認識していた。しかし、これに限らず、例えば、以下のように認識されてもよい。即ち、先ず被搬送紙の画像の角が検知される。Ｙ軸方向にある２つの角の間の幅が決定される。決定された幅が、シートの幅か否かが判定される。この判定処理は、例えば、決定された幅が、あらかじめ記憶されているシートの幅を含む所定の範囲内の幅か否かにより判定されればよい。シートの幅でないと判定された２つの角の間の幅と同じ幅を有する画像が飛出部分ＰＪの画像と認識される。また、例えば、以下のように認識されてもよい。即ち、先ず、Ｙ軸方向において、読取画像の最も外側に位置する端部から、被搬送紙の搬送方向に沿って延びる２つの端部の間の幅が決定される。決定された幅が、シートの幅か否かが判定される。シートの幅でないと判定された２つの端部の間の画像が飛出部分ＰＪの画像と認識される。
【００６９】
本実施形態において、シートＳＨのシート長は、シートＳＨのシート幅と図６において示したテーブルとに基づいて決定されることで、取得されていた。しかし、これに限らず、例えば、設定部が用紙種類ボタンを備え、ユーザにより用紙種類ボタンが押されることで、シートのシート長が取得されてもよい。また、例えば、画像読取装置がシート長検出用の超音波センサ等の検出部を備え、検出部により画像読取前にシートのシート長が検知されることで取得されてもよい。また、例えば、画像読取装置１が各種インターフェースを備え、インターフェース経由でＰＣまたはネットワークなどからシートのシート長が取得されてもよい。
【００７０】
本実施形態において、シートＳＨのシート幅は、ガイド幅が検出されることで、取得されていた。しかし、これに限らず、例えば、設定部が用紙種類ボタンを備え、ユーザにより用紙種類ボタンが押されることで、シートの幅が取得されてもよい。また、例えば、画像読取装置１が各種インターフェースを備え、インターフェース経由でＰＣまたはネットワークなどからシートの幅が取得されてもよい。
【００７１】
本実施形態において、検出部３４は、超音波センサにより構成されていた。しかし、これに限らず、例えば、発光素子と受光素子とからなる光センサや被搬送紙の両面に接し、被搬送紙の枚数に応じて変位する変位検出センサなどであってもよい。
【００７２】
本実施形態において、画像読取装置１は、シートフィードスキャナであったが、これに限らず、例えば、自動原稿搬送読取機構を備えた複合機であってもよい。この場合、画像読取装置は、読取部以外に読み取られた画像を印刷するための画像形成部を備える。また、例えば、画像読取装置はＦＡＸであってもよい。この場合、画像読取装置は、読み取られた画像を他のＦＡＸなどに送信する送信部を備える。
【００７３】
本実施形態において、長さ決定部７９は、画像から搬送長さを決定していたが、これに限らず、例えば、紙の有無を検出するセンサと搬送モータの送り量とから搬送長さが決定されてもよい。
【００７４】
本実施形態において、制御部７により重送が発生したと判定されると、表示部６により「重送発生」と表示されていた。しかし、これに限らず、例えば、画像読取装置がブザー等から構成される報知部を備え、重送が発生したことを示す音声等によるユーザへの報知がなされてもよい。この場合、報知部が制御部の重送判定結果に基づき制御されればよい。また、これに限らず、例えば、画像読取装置が検出部、及び画像読取部の下流側に分離部を備え、重送が発生したと判定されると、更に１枚１枚確実にシートが分離されるように、シートに摩擦力を作用されるように構成されてもよい。この場合、分離部が制御部の重送判定結果に基づき制御されればよい。
【符号の説明】
【００７５】
１  画像読取装置
２１Ａ、２１Ｂ  幅センサ
３４Ａ、３４Ｂ  検出部
３６Ａ、３６Ｂ  画像読取部
７１  シート幅決定部
７３  シート長決定部
７５  幅決定部
７６  幅判定部
７７  認識部
７８  画像処理部
７９  長さ決定部
８０  長さ判定部
８１  枚数判定部
【図１】
2011211477.tif 000003
【図２】
2011211477.tif 000004
【図３】
2011211477.tif 000005
【図４】
2011211477.tif 000006
【図５】
2011211477.tif 000007
【図６】
2011211477.tif 000008
【図７】
2011211477.tif 000009
【図８】
2011211477.tif 000010
【図９】
2011211477.tif 000011
【図１０】
2011211477.tif 000012
【図１１】
2011211477.tif 000013
【図１２】
2011211477.tif 000014
【図１３】
2011211477.tif 000015
【図１４】
2011211477.tif 000016